(57)【要約】【課題】パネルから取り外す際の作業性に優れたコネクタを提供する。【解決手段】コネクタは、パネルに設置されるハウジングと、ハウジングの前方に突出するロック部と、ハウジングの後方に開口する開口部と、を有する。ロック部は、パネルの前面側に引っ掛かり、パネルからの離脱を規制する。開口部は、ハウジングにおいてロック部に臨む位置に配置されている。【選択図】図３
2020140818.tif 000002
【特許請求の範囲】
【請求項１】
パネルに設置されるハウジングと、
前記ハウジングの前方に突出するロック部と、
前記ハウジングの後方に開口する開口部と、を有し、
前記ロック部は、前記パネルの前面側に引っ掛かり、前記パネルからの離脱を規制し、
前記開口部は、前記ハウジングにおいて前記ロック部に臨む位置に配置されているコネクタ。
【請求項２】
前記ハウジングに着脱可能であり、前記開口部を閉塞する閉塞部材を備える請求項１に記載のコネクタ。
【請求項３】
前記閉塞部材は、前記開口部の内面に密着するシール部を有している請求項２に記載のコネクタ。
【請求項４】
前記閉塞部材の後面には、凹部と凸部の少なくとも一方が設けられている請求項２または請求項３に記載のコネクタ。
【請求項５】
前記ロック部は、前記ハウジングとは別体とされ、前記ハウジングは、前記ロック部を収容する収容部を有し、前記収容部は、前記ハウジングの前方に開口し、かつ前記開口部に通じている請求項１から請求項４のいずれか１項に記載のコネクタ。
【発明の詳細な説明】
【技術分野】
【０００１】
本開示は、コネクタに関する。
【背景技術】
【０００２】
特許文献１に記載されたコネクタは、パネルに設置される雄ハウジングを備えている。雄ハウジングは、パネルの取付孔に貫通した状態で設置される。雄ハウジングは、前方に突出する可動係止爪を有している。可動係止爪は、パネルの前面側（表面側）に引っ掛かる爪部を有している。可動係止爪がパネルの前面側に引っ掛かることにより、雄ハウジングがパネルから離脱するのが規制される。爪部の後方は、雄ハウジングのフランジで覆われている。特許文献２、３にもパネルに取り付けられるコネクタが記載されている。
【先行技術文献】
【特許文献】
【０００３】
【特許文献１】特開２００２−１５１１９９号公報
【特許文献２】特開平１０−２３３２６２号公報
【特許文献３】特開２０１８−１３３１３０号公報
【発明の概要】
【発明が解決しようとする課題】
【０００４】
特許文献１の場合、雄ハウジングは、爪部に治具を当てて、可動係止爪を下方に撓ませることにより、パネルから取り外される。爪部は、パネルの前面側に位置し、後方をフランジで覆われている。このため、作業者は、パネルの後面側から爪部に治具を当てることができない。しかし、作業事情などにより、パネルの後面側から雄ハウジングの取り外し作業を行いたいという要請がある。
【０００５】
そこで、パネルから取り外す際の作業性に優れたコネクタを提供することを目的とする。
【課題を解決するための手段】
【０００６】
本開示のコネクタは、パネルに設置されるハウジングと、前記ハウジングの前方に突出するロック部と、前記ハウジングの後方に開口する開口部と、を有している。前記ロック部は、前記パネルの前面側に引っ掛かり、前記パネルからの離脱を規制している。前記開口部は、前記ハウジングにおいて前記ロック部に臨む位置に配置されている。
【発明の効果】
【０００７】
本開示によれば、パネルから取り外す際の作業性に優れたコネクタを提供することが可能となる。
【図面の簡単な説明】
【０００８】
【図１】図１は、実施例にかかるコネクタがパネルに取り付けられた状態を示す断面図である。
【図２】図２は、実施例にかかるコネクタがパネルに取り付けられる過程の状態を示す断面図である。
【図３】図３は、シールリング、ロック部および閉塞部材がハウジングに装着される部分の拡大断面図である。
【図４】図４は、ハウジングのフランジ部における装着部の正面図である。
【図５】図５は、ハウジングのフランジ部における装着部の背面図である。
【図６】図６は、ロック部の斜視図である。
【図７】図７は、閉塞部材の斜視図である。
【図８】図８は、ハウジングのフランジ部における装着部の開口部が閉塞部材で閉塞された状態を示す背面図である。
【図９】図９は、図３に示す状態から治具が開口部に挿入され、ロック部の引っ掛け状態が解除される状態を示す断面図である。
【発明を実施するための形態】
【０００９】
［本開示の実施形態の説明］
最初に本開示の実施態様を列記して説明する。
本開示のコネクタは、
（１）パネルに設置されるハウジングと、前記ハウジングの前方に突出するロック部と、前記ハウジングの後方に開口する開口部と、を有し、前記ロック部は、前記パネルの前面側に引っ掛かり、前記パネルからの離脱を規制し、前記開口部は、前記ハウジングにおいて前記ロック部に臨む位置に配置されている。作業者は、パネルからコネクタを取り外す際に、治具や指などをパネルの後面側から開口部に挿入することができる。そして、作業者は、治具や指などを開口部を通してロック部に当て、パネルに対するロック部の引っ掛け状態を解除することができる。このため、作業者は、パネルの前面側に限らず、後面側からロック部の解除操作を行うことができる。
【００１０】
（２）前記ハウジングに着脱可能であり、前記開口部を閉塞する閉塞部材を備えることが好ましい。開口部は、ロック部の解除操作を行う間を除いて、閉塞部材により閉塞され得る。開口部が閉塞部材で閉塞されることにより、塵埃などの異物がハウジング内に侵入するのを防止することができる。
（３）前記閉塞部材は、前記開口部の内面に密着するシール部を有していると良い。閉塞部材のシール部が開口部の内面に密着することにより、開口部の防水性が確保される。
（４）前記閉塞部材の後面には、凹部と凸部の少なくとも一方が設けられていると良い。ロック部の解除操作を行う際に、作業者は、凹部と凸部の少なくとも一方に指や治具などを当てがって、開口部から閉塞部材を取り外すことができる。
（５）前記ロック部は、前記ハウジングとは別体とされ、前記ハウジングは、前記ロック部を収容する収容部を有し、前記収容部は、前記ハウジングの前方に開口し、かつ前記開口部に通じていると良い。収容部と開口部とは、互いに通じ合い、ハウジングを前後方向に貫通し得る。このため、収容部と開口部とは、前後方向に移動する金型で容易に成形される。また、収容部には、ロック部を固定するための構造を容易に形成することができる。
【００１１】
［本開示の実施形態の詳細］
本開示のコネクタの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１２】
［実施例］
実施例にかかるコネクタは、パネル９０に取り付けられるパネル取り付け型のコネクタである。本実施例の場合、パネル９０は、図示しない自動車のドアパネルである。例えば、パネル９０の前面側（図１および図２の左側）は車体側となり、パネル９０の後面側（図１および図２の右側）はドア側となる。コネクタは、合成樹脂製のハウジング１０を備えている。ハウジング１０には、金属製のロック部６０とゴム製の閉塞部材８０とが装着される。
【００１３】
＜コネクタの全体構造＞
ハウジング１０は、図１および図２に示すように、パネル９０の取付孔９１に貫通した状態で設置される。ハウジング１０は、中継ハウジングとして構成される。ハウジング１０の後面側には、合成樹脂製の第１ハウジング１１が嵌合される。ハウジング１０の前面側には、合成樹脂製の第２ハウジング１２が嵌合される。
【００１４】
ハウジング１０には、複数のタブ状の端子金具１３が装着されている。端子金具１３は、前方および後方に突出する部分を有する。端子金具１３における後方に突出する部分は、第１端子１４に電気的に接続される。端子金具１３における前方に突出する部分は、第２端子１５に電気的に接続される。
【００１５】
第１端子１４は、第１ハウジング１１に複数収容される。各第１端子１４は、それぞれ第１電線１６の端末部に接続される。各第１電線１６は、第１ハウジング１１の後面から引き出される。第１ハウジング１１の後部には、ゴム製のグロメット１７が装着される。各第１電線１６は、グロメット１７により包囲され、下向きに屈曲させられる。第１ハウジング１１の後部には、グロメット１７を覆う合成樹脂製のグロメットカバー１８が装着される。第２端子１５は、第２ハウジング１２に複数収容される。各第２端子１５は、それぞれ第２電線１９の端末部に接続される。各第２端子１５は、第２ハウジング１２の前面から引き出される。
【００１６】
＜ハウジング１０の詳細構造およびパネル９０に対するシール構造＞
ハウジング１０は、図１および図２に示すように、第１、第２ハウジング１１、１２が嵌合されるハウジング本体２１と、ハウジング本体２１の外周側に全周にわたって張り出すフランジ部２２とを有している。ハウジング本体２１は、パネル９０の取付孔９１に貫通して配置される。フランジ部２２は、パネル９０の後面側における取付孔９１の開口縁部に対向して配置される。フランジ部２２の前面には、装着溝２３が全周にわたって凹み形成されている。
【００１７】
フランジ部２２の装着溝２３には、環状のシールリング２４が収容されている。シールリング２４は、シリコンゴムなどのゴム製であって、図３に示すように、前後面の内周側に、内外複数条、詳細には内外２条のシールリップ２５を有している。各シールリップ２５は、断面弧状に形成されている。シールリング２４は、前後面の外周側に、内外１条の耐圧リップ２６を有している。耐圧リップ２６は、断面矩形状または台形状に形成されている。耐圧リップ２６の突出寸法（前後方向の寸法）は、シールリップ２５の突出寸法より小さくされている。
【００１８】
シールリング２４は、パネル９０の後面と装着溝２３の奥面との間に挟まれる。各シールリップ２５の前部は、パネル９０の後面に密着して圧潰される。各シールリップ２５の後部は、装着溝２３の奥面に密着して圧潰される。耐圧リップ２６の前部は、パネル９０の後面に対面して接触し得るが、圧潰されない。耐圧リップ２６の後部は、装着溝２３の奥面に対面して接触し得るが、圧潰されない。また、耐圧リップ２６の外周部分は、装着溝２３の外周面に対面して接触し得るが、圧潰されない。
【００１９】
各シールリップ２５がフランジ部２２とパネル９０とに密着して圧潰されることで、コネクタとパネル９０との間を防水する。また、耐圧リップ２６がフランジ部２２とパネル９０との間の隙間を埋めることにより、高圧洗浄水などがシールリング２４の内周側に浸入するのを防止する。このため、シールリング２４による防水性能が信頼性良く発揮される。
【００２０】
ハウジング１０は、図１および図２に示すように、フランジ部２２の下部で、かつ装着溝２３の内周側に、前方に突出するアーム部２７を有している。アーム部２７は、パネル９０の取付孔９１に後方から挿通される。
【００２１】
ハウジング１０は、図３に示すように、フランジ部２２の上部に、ロック部６０および閉塞部材８０を装着する装着部２８を有している。装着部２８は、フランジ部２２の後方に突出する部分を有し、グロメット１７およびグロメットカバー１８の外周側で、かつ装着溝２３の内周側に配置されている。装着部２８は、前方に開口する収容部２９と、後方に開口する開口部３１とを有している。収容部２９は、装着部２８の前部に配置される。開口部３１は、装着部２８の後部に配置される。装着部２８において、収容部２９の前後寸法は、開口部３１の前後寸法より大きい。装着部２８は、収容部２９と開口部３１との間に段差３５を有している。図５に示すように、開口部３１は、断面円形状をなし、段差３５を介して収容部２９より大きい開口径を有している。
【００２２】
収容部２９は、図４に示すように、幅方向に細長いスリット状の挿入溝３２を有し、挿入溝３２の下方に、幅方向に長い断面矩形状の撓み空間部３３を有している。また、図３に示すように、収容部２９は、挿入溝３２の下方で、かつ撓み空間部３３の後方に台状の止め部３４を有している。止め部３４の上面は、前側に、上向き傾斜の斜面３６を有している。止め部３４の後面は、開口部３１に臨み、上下方向に沿って垂直に配置される。なお、止め部３４の後面および段差３５は、後方へ抜かれる図示しない金型によって成形される。
【００２３】
＜ロック部６０＞
ロック部６０は、ハウジング１０とは別体であり、装着部２８に前方から装着される。ロック部６０は、金属製の板材を曲げ加工などして形成される。図３および図６に示すように、ロック部６０の前部には、引っ掛け部６１が設けられている。引っ掛け部６１は、側面視山型に折り曲げられて形成される。ロック部６０の前部には、引っ掛け部６１を挟んだ左右両側（片側のみ図示）に、側面視矩形状の当て部６２が起立して設けられている。
【００２４】
ロック部６０の前後方向の中間部には、前部側から後部側に向けて上向きに傾斜する傾斜部６３が設けられている。ロック部６０の後部には、図６に示すように、傾斜部６３寄りの部位に、挿入部６６および突起６７が左右両側に張り出して設けられている。挿入部６６は、Ｕ字形に屈曲する形態とされている。突起６７は、爪状に突出する形態とされている。
【００２５】
ロック部６０の後部には、突起６７と前後方向に重なる位置に、矩形の切り込み６４が入れられる。ロック部６０の後部には、切り込み６４内の板片部分を下向きに起こすことにより、斜め前方に突出する矩形板状のストッパ部６５が設けられている。
【００２６】
＜閉塞部材８０＞
閉塞部材８０は、図７に示すように、円柱状の本体部８１を有している。本体部８１の外径寸法は、開口部３１と同一または開口部３１より小さくされている。本体部８１の前後寸法は、開口部３１の前後寸法より小さくされている。閉塞部材８０の外周面には、シール部８２が設けられている。シール部８２は、本体部８１の周方向にリップ状に形成され、前後方向に複数条、詳細には３条並んで配置される。図８に示すように、本体部８１の後面には、幅方向（径方向）に延びるリブ状の凸部８３が設けられている。凸部８３は、本体部８１の直径方向に設けられている。また、本体部８１の後面には、中心部（内周部）に、凹部８４が設けられている。凹部８４は、凸部８３を挟んだ上下両側に、それぞれ半円状に配置されている。図３に示すように、本体部８１の後面の外周部８５は、凹部８４の奥面より後方で、かつ凸部８３の後面より前方に位置する。
【００２７】
＜ハウジング１０に対するロック部６０の装着構造＞
ロック部６０は、収容部２９に前方から挿入される。挿入部６６は、挿入溝３２に圧入状態で挿入される。挿入部６６が挿入溝３２に挿入された状態で、ストッパ部６５は、止め部３４の斜面３６に摺接し、撓み変形する。挿入部６６が挿入溝３２に正規深さで挿入されると、ストッパ部６５は、止め部３４の上面から離れ、元の状態に復帰する。図３に示すように、ストッパ部６５の先端（前端）は、止め部３４の後面に対向して当たり得る。これにより、ロック部６０は、収容部２９に抜け止めされた状態で固定される。ロック部６０の引っ掛け部６１は、フランジ部２２より前方に突出して配置される。また、突起６７が収容部２９の内壁に食い込むことにより、ロック部６０の装着状態を維持する。
【００２８】
＜ハウジング１０に対する閉塞部材８０の装着構造＞
閉塞部材８０は、装着部２８の開口部３１に後方から挿入される。閉塞部材８０が開口部３１に正規深さで挿入されると、図３に示すように、本体部８１の前端が段差３５に当たり、閉塞部材８０の挿入が停止される。各シール部８２は開口部３１の内周面に密着して圧潰される。これにより、装着部２８が防水され、収容部２９の浸水が規制される。本体部８１の後面の外周部８５は開口部３１内に配置される。凸部８３の後面は開口部３１の後端と同じ位置または開口部３１より後方に突出して配置される。なお、ハウジング１０に対する閉塞部材８０およびロック部６０の装着手順は任意である。ハウジング１０には、閉塞部材８０を装着した後、ロック部６０を装着してもよく、ロック部６０を装着した後、閉塞部材８０を装着してもよい。
【００２９】
＜パネル９０に対するコネクタの取り付け構造＞
コネクタは、ハウジング１０の前面を斜め上方に向けた状態で、パネル９０の後面側に配置される。次いで、コネクタは、パネル９０の取付孔９１に後方から挿通される。図２に示すように、アーム部２７の前端部は、パネル９０の前面側における取付孔９１の下側の開口縁に掛け止められる。コネクタは、図２から図１にかけて示すように、アーム部２７の前端部がパネル９０に掛け止められる位置を支点として、前方へ向けて回動される。コネクタの回動過程において、ロック部６０の引っ掛け部６１における前面の傾斜部分は、取付孔９１の上側の孔面に摺接する。ロック部６０の前部は、挿入溝３２に装着された挿入部６６を支点として撓み空間部３３に撓み変形する。図１に示すように、コネクタが上下方向に沿った垂直姿勢に至ると、ロック部６０が元の状態に復帰し、引っ掛け部６１がパネル９０の前面側における取付孔９１の上側の開口縁部に掛け止められる。これにより、コネクタがパネル９０に取り付けられる。図３に示すように、当て部６２は、パネル９０の取付孔９１の孔面に位置決め状態で当たる。
【００３０】
シールリング２４は、パネル９０とフランジ部２２との間に挟まれて液密に配置される。装着部２８は、閉塞部材８０によって防水される。このため、パネル９０の後面側からハウジング１０内への浸水が確実に規制される。
【００３１】
＜コネクタの取り外し作業＞
パネル９０の後面側からコネクタの取り外し作業を行う際、まず、閉塞部材８０が開口部３１から引き抜かれる。このとき、作業者の指または治具（図示せず）が凸部８３および凹部８４に当てがわれる。例えば、作業者の指が凸部８３を摘み、指の先端が凹部８４に進入した状態で、閉塞部材８０を引き抜く。なお、閉塞部材８０を開口部３１に装着する作業を行う際も、作業者の指または治具が凸部８３および凹部８４に当てがわれる。開口部３１が開放されることにより、ロック部６０が開口部３１を通してパネル９０の後面側に臨む。
【００３２】
続いで、図９に示すように、棒状の治具７０が開口部３１に後方から挿入される。治具７０の先端部は、開口部３１から収容部２９内に進入し、ロック部６０の当て部６２に後方から当てられる。引っ掛け部６１は、治具７０に押されて下方へ変位し、パネル９０との引っ掛け状態を解除する。その状態で、コネクタは、アーム部２７の前端部がパネル９０に掛け止められる位置を支点として、後方へ倒される。その後、コネクタは、パネル９０から引き離される。
【００３３】
パネル９０の前面側からコネクタの取り外し作業を行う際、治具７０は、パネル９０の前面側に臨む引っ掛け部６１に直接当てられる。引っ掛け部６１は、治具７０に押されて下方へ変位し、パネル９０との引っ掛け状態を解除する。その後、上記と同様、コネクタは、後方へ倒され、パネル９０から引き離される。
【００３４】
本実施例によれば、作業者は、パネル９０からコネクタを取り外す作業を、パネル９０の前面側に限らず、パネル９０の後面側から行うことができる。パネル９０に対するロック部６０の引っ掛け状態を解除する作業は、パネル９０の後面側から開口部３１を通して行うことができる。開口部３１は、コネクタの取り外し作業を行う場合を除いて、閉塞部材８０により閉塞された状態に維持される。このため、塵埃などの異物が開口部３１に入り込むのが防止される。さらに、開口部３１が閉塞部材８０のシール部８２によって防水される。
【００３５】
［他の実施例］
今回開示された実施の形態はすべての点で例示であって制限的なものではないと考えられるべきである。本発明の範囲は、上記した内容に限定されず、特許請求の範囲によって示され、特許請求の範囲と均等の意味および範囲内のすべての変更が含まれることが意図される。
【００３６】
実施例は、開口部３１が閉塞部材８０で閉塞されていたが、他の実施例としては、開口部３１が常に開放されていてもよい。  
実施例は、凸部８３および凹部８４が閉塞部材８０の後面に設けられていたが、他の実施例としては、凸部８３および凹部８４が閉塞部材８０に設けられていなくてもよく、さらに、閉塞部材８０の後面に凸部８３と凹部８４のいずれか一方のみが設けられるものであってもよい。  
実施例は、閉塞部材８０がシール部８２を有していたが、他の実施例としては、閉塞部材８０がシール性能を有さない栓部材として構成されるものであってもよい。    
実施例は、ロック部６０が金属製であってハウジング１０とは別体とされていたが、他の実施例としては、ロック部６０が樹脂製であってハウジング１０と一体とされるものであってもよい。
【符号の説明】
【００３７】
１０…ハウジング
１１…第１ハウジング
１２…第２ハウジング
１３…端子金具
１４…第１端子
１５…第２端子
１６…第１電線
１７…グロメット
１８…グロメットカバー
１９…第２電線
２１…ハウジング本体
２２…フランジ部
２３…装着溝
２４…シールリング
２５…シールリップ
２６…耐圧リップ
２７…アーム部
２８…装着部
２９…収容部
３１…開口部
３２…挿入溝
３３…撓み空間部
３４…止め部
３５…段差
３６…斜面
６０…ロック部
６１…引っ掛け部
６２…当て部
６３…傾斜部
６４…切り込み
６５…ストッパ部
６６…挿入部
６７…突起
７０…治具
８０…閉塞部材
８１…本体部
８２…シール部
８３…凸部
８４…凹部
８５…外周部
９０…パネル
９１…取付孔
【図１】
2020140818.tif 000003
【図２】
2020140818.tif 000004
【図３】
2020140818.tif 000005
【図４】
2020140818.tif 000006
【図５】
2020140818.tif 000007
【図６】
2020140818.tif 000008
【図７】
2020140818.tif 000009
【図８】
2020140818.tif 000010
【図９】
2020140818.tif 000011